(57)【要約】【課題】通信方式が異なる遠隔制御システム間の通信を簡単化し、処理時間も短縮する。【解決手段】照明器具やセンサを接続した複数の従局及び操作盤を電力線に接続した第１の照明制御システムとの間でデータ通信を行う通信インターフェース部１８と、照明器具やセンサを接続した複数の従局を電力線に接続した第２の照明制御システムとの間でデータ通信を行う通信インターフェース部１９と、システム間のポーリング制御を相手に合わせるポーリング制御部２４と、システム間の通信電文フォーマットを相手に合わせるフォーマット変換部２３と、アドレステーブル２９のアドレス情報に基づいてシステム間のアドレスを相手に合わせるアドレス変換部２５と、全体を制御するメイン制御部２６と、第１の照明制御システムからアクセスが可能な第１のバッファメモリ２７と、第２の照明制御システムからアクセスが可能な第２のバッファメモリ２８とを具備している。【選択図】      図２
2005191692.tif 000002
【特許請求の範囲】
【請求項１】
複数の負荷を個別に遠隔制御する第１の遠隔制御システムとの間でデータ通信を行う第１の通信インターフェース部と、
前記第１の遠隔制御システムとはポーリング制御、通信電文フォーマット、アドレス指定方法が異なり、複数の負荷を個別に遠隔制御する第２の遠隔制御システムとの間でデータ通信を行う第２の通信インターフェース部と、
前記各通信インターフェース部を制御する通信制御部と、
前記各遠隔制御システム間のポーリング制御を相手に合わせて変換するポーリング制御部と、
前記各遠隔制御システム間の通信電文フォーマットを相手に合わせて変換するフォーマット変換部と、
アドレステーブルに設定されたアドレス情報に基づいて前記各遠隔制御システム間のアドレスを相手に合わせて変換するアドレス変換部と、
前記通信制御部、ポーリング制御部、フォーマット変換部、アドレス変換部を制御するメイン制御部と、
前記第１、第２の遠隔制御システムにおける各負荷の制御状態を記憶し、前記第１の通信インターフェース部、通信制御部、メイン制御部及びポーリング制御部を介して前記第１の遠隔制御システムからアクセスが可能な第１の記憶部と、
前記第１、第２の遠隔制御システムにおける各負荷の制御状態を記憶し、前記第２の通信インターフェース部、通信制御部、メイン制御部及びポーリング制御部を介して前記第２の遠隔制御システムからアクセスが可能な第２の記憶部と、
を具備したことを特徴とする通信変換装置。
【請求項２】
第１、第２の遠隔制御システムとして、照明器具やセンサを負荷とした照明制御システムを使用し、
一方の照明制御システムには、さらに、操作盤を有し、この操作盤からの操作信号に基づいて他方の照明制御システムの照明器具やセンサを遠隔制御することを特徴とする請求項１記載の通信変換装置。
【請求項３】
他方の照明制御システムは電力線を通信線として使用し、この電力線を介して照明器具やセンサを遠隔制御することを特徴とする請求項２記載の通信変換装置。
【請求項４】
他方の照明制御システムは無線を使用して照明器具やセンサを遠隔制御することを特徴とする請求項２記載の通信変換装置。
【発明の詳細な説明】
【技術分野】
【０００１】
本発明は、ポーリング制御、通信電文フォーマット、アドレス指定方法が異なる２つの遠隔制御システム間の通信変換を行う通信変換装置に関する。
【背景技術】
【０００２】
従来、このような通信変換装置としては、ポーリング方式とコンテンション方式との遠隔制御システム間で負荷の制御・監視を可能にしたものが知られている。具体的には、アドレスを有する複数台の端末器と伝送ユニットが信号線を介して接続されたポーリング方式の第１の遠隔制御システムと、アドレスを有する複数台のノード装置が信号線を介して接続されたコンテンション方式の第２の遠隔制御システムとの間に介在し、第１の遠隔制御システムの信号線からの伝送信号が授受可能な第１の信号処理部と、第２の遠隔制御システムの信号線からの伝送信号が授受可能な第２の信号処理部と、第１の信号処理部で用いる第１の遠隔制御システムの端末器と等価なアドレスを複数個記憶したアドレス記憶部と、第２の信号処理部で用いる第２の遠隔制御システムのノード装置アドレスを複数個記憶した状態記憶部と、第１の信号処理部と第２の信号処理部との間で相互に信号形式を変換する制御部とを備え、第１の信号処理部はアドレス記憶部に格納された複数個のアドレスを用いて複数台の端末器と等価に機能し、第２の信号処理部は状態記憶部に格納された複数個のアドレスを用いてノード装置と等価に機能し、制御部ではアドレス記憶部と状態記憶部との互いのアドレスを対応付け、第１の信号処理部と第２の信号処理部との間で情報伝送を行うというものである（例えば、特許文献１参照）。
【特許文献１】特開２００２−２９０４３１
【発明の開示】
【発明が解決しようとする課題】
【０００３】
この通信変換装置においては、例えば、第２の遠隔制御システムのノード装置に設けたスイッチの操作よって第１の遠隔制御システムの端末器に接続した照明負荷をオンにする指示が為されると、その指示が第２の信号処理部で受信され、制御部によって第１の信号処理部の信号形式に変換される。そして、第１の遠隔制御システムの信号線からの伝送信号が授受可能な第１の信号処理部が対応するアドレスの状態を確認し、オフであれば第１の遠隔制御システムに割込みを行って対応するアドレスにオンの指示を行う。そして、この指示によって端末器が照明負荷をオンにすると、伝送ユニットを介して第１の信号処理部に負荷の状態が返送され、この返送された負荷状態が第１の信号処理部から制御部によって第２の信号処理部の信号形式に変換された後、第２の遠隔制御システムのノード装置に返信される。
【０００４】
このように従来の通信変換装置は、一方の遠隔制御システムから他方の遠隔制御システムへの指示があると、一方の遠隔制御システムとの通信を行う信号処理部から他方の遠隔制御システムとの通信を行う信号処理部に信号形式の変換が行われてその制御指令が伝えられ、その他方の遠隔制御システムとの通信を行う信号処理部が該当する端末器やノード装置に接続されている負荷の状態を確認する構成となっているので、互いに通信方式が異なる遠隔制御システム間の通信のための処理が複雑化し、時間がかかるという問題があった。
【０００５】
そこで、請求項１記載の発明は、互いに通信方式が異なる遠隔制御システム間の通信のための処理を簡単化でき、処理時間も短縮できる通信変換装置を提供する。  
また、請求項２乃至４記載の発明は、互いに通信方式が異なる一方の照明制御システムから他方の照明制御システムに対する照明器具やセンサの遠隔制御を行う場合の処理を簡単化でき、処理時間も短縮できる通信変換装置を提供する。
【課題を解決するための手段】
【０００６】
請求項１記載の発明は、複数の負荷を個別に遠隔制御する第１の遠隔制御システムとの間でデータ通信を行う第１の通信インターフェース部と、第１の遠隔制御システムとはポーリング制御、通信電文フォーマット、アドレス指定方法が異なり、複数の負荷を個別に遠隔制御する第２の遠隔制御システムとの間でデータ通信を行う第２の通信インターフェース部と、各通信インターフェース部を制御する通信制御部と、各遠隔制御システム間のポーリング制御を相手に合わせて変換するポーリング制御部と、各遠隔制御システム間の通信電文フォーマットを相手に合わせて変換するフォーマット変換部と、アドレステーブルに設定されたアドレス情報に基づいて各遠隔制御システム間のアドレスを相手に合わせて変換するアドレス変換部と、通信制御部、ポーリング制御部、フォーマット変換部、アドレス変換部を制御するメイン制御部と、第１、第２の遠隔制御システムにおける各負荷の制御状態を記憶し、第１の通信インターフェース部、通信制御部、メイン制御部及びポーリング制御部を介して第１の遠隔制御システムからアクセスが可能な第１の記憶部と、第１、第２の遠隔制御システムにおける各負荷の制御状態を記憶し、第２の通信インターフェース部、通信制御部、メイン制御部及びポーリング制御部を介して第２の遠隔制御システムからアクセスが可能な第２の記憶部とを具備し、第１、第２の遠隔制御システムにより、相手の遠隔制御システムの負荷を個別に遠隔制御する通信変換装置にある。
【０００７】
請求項２記載の発明は、請求項１記載の通信変換装置において、第１、第２の遠隔制御システムとして、照明器具やセンサを負荷とした照明制御システムを使用し、一方の照明制御システムには、さらに、操作盤を有し、この操作盤からの操作信号に基づいて他方の照明制御システムの照明器具やセンサを遠隔制御することにある。  
請求項３記載の発明は、請求項２記載の通信変換装置において、他方の照明制御システムは電力線を通信線として使用し、この電力線を介して照明器具やセンサを遠隔制御することにある。
【０００８】
請求項４記載の発明は、請求項２記載の通信変換装置において、他方の照明制御システムは無線を使用して照明器具やセンサを遠隔制御することにある。
【発明の効果】
【０００９】
本発明によれば、互いに通信方式が異なる遠隔制御システム間の通信のための処理を簡単化でき、処理時間も短縮できる通信変換装置を提供できる。  
また、本発明によれば、互いに通信方式が異なる一方の照明制御システムから他方の照明制御システムに対する照明器具やセンサの遠隔制御をおこなう場合の処理を簡単化でき、処理時間も短縮できる通信変換装置を提供できる。
【発明を実施するための最良の形態】
【００１０】
以下、本発明の実施の形態を、図面を参照して説明する。  
（第１の実施の形態）
図１において、１は第１の遠隔制御システムを構成する既設の第１の照明制御システム、２は第２の遠隔制御システムを構成する新規の第２の照明制御システム、３は第１の照明制御システム１と第２の照明制御システム２との間の通信変換制御を行う通信変換装置である。
【００１１】
前記第１の照明制御システム１と通信変換装置３とは、例えば２線式伝送線４によって接続され、前記第２の照明制御システム２と通信変換装置３とは、例えば電力線５によって接続されている。なお、第１の照明制御システム１と通信変換装置３との通信の接続を、２線式伝送線４に代えて電力線を使用しても、あるいは無線通信で行ってもよい。
【００１２】
前記第１の照明制御システム１は、例えば、電力線６に負荷として操作盤７と複数の従局８-1，８-2，…８-(n-1)，８-nを接続している。そして、前記従局８-1〜８-(n-1)に照明器具９-1，９-2，…９-(n-1)が接続されて同一の筐体内に一体に組み込まれ、また、前記従局８-nに周囲環境情報を取得するセンサ１０が接続されて同一の筐体内に一体に組み込まれている。
【００１３】
前記第２の照明制御システム２は、前記電力線５に複数の従局１１-1，１１-2，…を接続するとともにその電力線５の末端を中継装置１２に接続し、その中継装置１２にさらに別の電力線１３を接続し、その電力線１３に複数の従局１４-1，１４-2，…を接続している。そして、前記従局１１-1，１１-2，…、１４-2，…に照明器具１５-1，１５-2，…、１６-1，…が接続されて同一の筐体内に一体に組み込まれ、また、前記従局１４-1に周囲環境情報を取得するセンサ１７が接続されて同一の筐体内に一体に組み込まれている。
【００１４】
前記第１の照明制御システム１の操作盤７は操作情報を通信信号として電力線６を介して送信することで自己のシステム内の各従局８-1〜８-nを制御するとともに前記通信変換装置３を経由して前記第２の照明制御システム２の各従局１１-1，１１-2，…、１４-1，１４-2，…を間接的に制御するようになっている。  
すなわち、前記第１の照明制御システム１と前記第２の照明制御システム２とは、ポーリング制御、通信電文フォーマット、アドレス指定方法など通信方式や制御方式が異なるため、前記通信変換装置３がその変換を行って互いの通信を可能にしている。
【００１５】
前記通信変換装置３は、図２に示すように、前記第１の照明制御システム１との間でデータ通信を行う第１の通信インターフェース部１８と、前記第２の照明制御システム２との間でデータ通信を行う第２の通信インターフェース部１９と、通信変換処理を行う演算処理部２０と、記憶部２１とで構成されている。
【００１６】
前記演算処理部２０は、第１の通信インターフェース部１８と第２の通信インターフェース部１９との通信を制御する通信制御部２２と、前記第１の照明制御システム１と前記第２の照明制御システム２との通信電文の差異を変換するフォーマット変換部２３と、前記第１の照明制御システム１と前記第２の照明制御システム２とのポーリング制御の差異を変換するポーリング制御部２４と、前記第１の照明制御システム１と前記第２の照明制御システム２との固有アドレス指定方法の差異を変換するアドレス変換部２５と、前記通信制御部２２、フォーマット変換部２３、ポーリング制御部２４及びアドレス変換部２５を制御するメイン制御部２６によって構成されている。
【００１７】
前記記憶部２１は、前記第１の照明制御システム１から前記ポーリング制御部２４を介してアクセスが可能な第１の記憶部としての第１のバッファメモリ２７と、前記第２の照明制御システム２から前記ポーリング制御部２３を介してアクセスが可能な第２の記憶部としての第２のバッファメモリ２８と、前記第１の照明制御システム１と第２の照明制御システム２における各従局の固有アドレスを格納したアドレステーブル２９を設けている。
【００１８】
前記第１、第２のバッファメモリ２７，２８は同一の内容を記憶し、例えば、第１のバッファメモリ２７の内容が書き換えられると、その後第２のバッファメモリ２８の内容が第１のバッファメモリ２７の内容に合わせて書き換えられ、逆に、第２のバッファメモリ２８の内容が書き換えられると、その後第１のバッファメモリ２７の内容が第２のバッファメモリ２８の内容に合わせて書き換えられるようになっている。
【００１９】
前記第１のバッファメモリ２７は前記第１の照明制御システム１からのアクセス専用バッファであり、前記第２のバッファメモリ２８は前記第２の照明制御システム２からのアクセス専用バッファであり、それぞれのアクセスタイミングはそれぞれ独自の制御タイミングでよく、アービトレーション・ロスが発生しない。また、前記アドレステーブル２９を設けることで双方の照明制御システム１、２のアドレス形態を双方向変換することが可能になる。
【００２０】
前記第２の照明制御システム２に配置した中継装置１２は、図３に示すように、ローパスフィルタ３１を電力線５と電力線１３との間に配置し、電力線５を搬送する電力についてはそのまま電力線１３側に通過させるようになっている。また、第１のハイパスフィルタ３２を設け、電力線５を送信するキャリアのみを通過させて第１のハイブリッドトランス３３に供給し、また、第２のハイパスフィルタ３４を設け、電力線１３を送信するキャリアのみを通過させて第２のハイブリッドトランス３５に供給している。
【００２１】
前記第１のハイブリッドトランス３３は、受信したキャリアから受信データを分離して信号増幅器３６に出力し、また、信号増幅器３７からの送信データをキャリアに載せて前記第１のハイパスフィルタ３２に出力するようになっている。前記第２のハイブリッドトランス３５は、受信したキャリアから受信データを分離して信号増幅器３８に出力し、また、信号増幅器３９からの送信データをキャリアに載せて前記第２のハイパスフィルタ３４に出力するようになっている。
【００２２】
前記信号増幅器３６に入力された受信データは増幅された後、Ａ／Ｄ変換器４０によってデジタルデータに変換されて信号処理用演算部４１に供給される。前記信号増幅器３８に入力された受信データは増幅された後、Ａ／Ｄ変換器４２によってデジタルデータに変換されて前記信号処理用演算部４１に供給される。
【００２３】
前記信号処理用演算部４１は、１対のエコーキャンセラ４３，４４と１対の波形整形部４５，４６を備え、前記Ａ／Ｄ変換器４０からのデジタルデータをエコーキャンセラ４３に入力して自装置から送信された信号成分を排除し、さらに前記波形整形部４５で波形整形し、エコーキャンセラ４４で再度自装置から送信された信号成分を排除してＤ／Ａ変換器４７に出力している。また、前記Ａ／Ｄ変換器４２からのデジタルデータをエコーキャンセラ４４に入力して自装置から送信された信号成分を排除し、さらに前記波形整形部４６で波形整形し、エコーキャンセラ４３で再度自装置から送信された信号成分を排除してＤ／Ａ変換器４８に出力している。このように１対のエコーキャンセラ４３，４４を使用することで、全二重通信対応のため送信したデータが誤受信するのを防止できる。
【００２４】
前記Ｄ／Ａ変換器４７はデジタルデータをアナログデータに変換し、このアナログデータを送信データとして前記信号増幅器３９で増幅した後前記第２のハイブリッドトランス３５に出力し、前記Ｄ／Ａ変換器４８はデジタルデータをアナログデータに変換し、このアナログデータを送信データとして前記信号増幅器３７で増幅した後前記第１のハイブリッドトランス３３に出力している。  
このように、中継装置１２は電力線５を送信する信号を取り込んで増幅した後電力線１３に出力し、また、電力線１３を送信する信号を取り込んで増幅した後電力線５に出力する。
【００２５】
前記照明器具ＳＨ（９-1〜９-(n-1)、１５-1，…、１６-1，…）を接続した従局８-1〜８-(n-1)、１１-1，…、１４-2，…は、図４に示すように、電力線６、５又は１３に接続した電力線インターフェース部５１、前記照明器具ＳＨに接続した照明器具インターフェース部５２、固有アドレスを記憶したアドレス記憶部５３及び前記電力線インターフェース部５１、照明器具インターフェース部５２及びアドレス記憶部５３を制御する制御部５４によって構成されている。
【００２６】
また、前記センサＳＮ（１０、１７）を接続した従局８-n、１４-1は、図５に示すように、電力線６又は１３に接続した電力線インターフェース部５５、前記センサＳＮに接続したセンサインターフェース部５６、固有アドレスを記憶したアドレス記憶部５７及び前記電力線インターフェース部５５、センサインターフェース部５６及びアドレス記憶部５７を制御する制御部５８によって構成されている。
【００２７】
前記通信変換装置３のメイン制御部２６は、第１の照明制御システム１の操作盤７からコマンドを受信すると、図６に示す流れ図に従って処理を行うようになっている。すなわち、Ｓ１にて、コマンドが指定する固有アドレスが管轄内、すなわち、第１、第２の照明制御システム１、２内の宛先になっているか否かをチェックし、宛先が管轄内の固有アドレスでなければ、Ｓ２にて、データ破棄を行い、リターンする。また、宛先が管轄内の固有アドレスであれば、Ｓ３にて、コマンドのフレームを解釈する。
【００２８】
そして、Ｓ４にて、「ポーリング」指令を受信したときには、Ｓ５にて、第１のバッファメモリ２７をリードする。そして指定された端末、すなわち、従局が正常であれば、Ｓ６にて、ポーリング応答を作成し、操作盤７に「応答」を送信し、リターンする。
【００２９】
また、Ｓ７にて、第２の照明制御システム２のある従局への「設定変更」指令を受信したときには、Ｓ８にて、第１のバッファメモリ２７をリードする。そして指定された端末、すなわち、従局が正常であれば、Ｓ９にて、第１のバッファメモリ２７に変更する設定値を書込む。そして、Ｓ１０にて、第２のバッファメモリ２８に第１のバッファメモリ２７の値をコピーし、Ｓ１１にて、第２の照明制御システム２の通信方法に合致したフレームを作成し、Ｓ１２にて、指定された当該端末へ「設定」を送信し、リターンする。
【００３０】
また、Ｓ１３にて、「端末制御」指令を受信したときには、Ｓ１４にて、第１のバッファメモリ２７をリードする。そして指定された端末、すなわち、従局が正常であれば、Ｓ１５にて、第１のバッファメモリ２７に予測値を書込む。そして、Ｓ１６にて、第２のバッファメモリ２８に第１のバッファメモリ２７の値をコピーし、Ｓ１７にて、第２の照明制御システム２の通信方法に合致したフレームを作成し、Ｓ１８にて、指定された当該端末へ「設定」を送信し、リターンする。
【００３１】
前記通信変換装置３のメイン制御部２６は、第２の照明制御システム２の従局からコマンドを受信すると、図７に示す流れ図に従って処理を行うようになっている。すなわち、Ｓ２１にて、コマンドが指定する固有アドレスが自局宛てかあるいは上位宛てかをチェックし、宛先が自局宛てでも上位宛てでも無ければ、Ｓ２２にて、データ破棄を行い、リターンする。また、宛先が自局宛てあるいは全体を監視する監視装置などの上位装置宛てであれば、Ｓ２３にて、コマンドのフレームを解釈する。
【００３２】
そして、Ｓ２４にて、「器具情報（センサ情報も含む）」を受信したときには、Ｓ２５にて、器具情報により第２のバッファメモリ２８の当該器具情報を更新する。例えば、照明器具の調光値を変化させる器具情報であれば第２のバッファメモリ２８に記憶されている当該照明器具の調光値を更新する。そして、Ｓ２６にて、第１のバッファメモリ２７に第２のバッファメモリ２８の値をコピーし、リターンする。  
また、Ｓ２７にて、「異常発信」を受信したときには、Ｓ２８にて、異常発信情報により第２のバッファメモリ２８の当該器具情報を更新する。そして、Ｓ２９にて、第１のバッファメモリ２７に第２のバッファメモリ２８の値をコピーし、リターンする。
【００３３】
これにより、第１の照明制御システム１の操作盤７にて第２の照明制御システム２における特定の照明器具を制御する場合は、操作盤７からのコマンドによって該当する照明器具が接続されている従局の固有アドレスを指定する。これにより、通信変換装置３は第１のバッファメモリ２７をリードし、該当する従局に接続されている照明器具の状態を制御内容に応じて変更し、その結果を操作盤７に応答する。一方、通信変換装置３は変更された第１のバッファメモリ２７の値を第２のバッファメモリ２８にコピーする。そして、第２のバッファメモリ２８の値に従って第２の照明制御システム２の通信方法に合致したフレームを作成し、指定された当該従局へ制御内容を送信し、これを受信した従局は自己に接続されている照明器具を制御内容に従って制御する。
【００３４】
このように、第１の照明制御システム１の操作盤７からのコマンドによって第２の照明制御システム２における特定の照明器具を直接制御するのではなく、通信変換装置３が間に介在することで、操作盤７からのコマンドによって第１のバッファメモリ２７の値を変更してその応答を直ちに操作盤７に送信し、また、第１のバッファメモリ２７の値を第２のバッファメモリ２８にコピーした後、その第２のバッファメモリ２８の値に従って第２の照明制御システム２の指定された当該従局に接続された照明器具を制御する。また、第２の照明制御システム２の照明器具やセンサに変化があるとその情報を従局から通信変換装置３が受信して第２のバッファメモリ２８の値を変更し、その変更した内容が第１のバッファメモリ２７にコピーされる。
【００３５】
従って、第１の照明制御システム１と第２の照明制御システム２との通信方式や制御方式が異なっても通信変換装置３を使用することで簡単に接続することができる。しかも、高速なアクセスが可能になる。
【００３６】
また、第２の照明制御システム２は中継装置１２を配置し、この中継装置１２で電力線５を送信する信号を取り込んで増幅した後電力線１３に出力し、また、電力線１３を送信する信号を取り込んで増幅した後電力線５に出力している。これにより、電力線上を送信する信号に対してリアルタイムで増幅が可能になる。また、通信路上のトラフィックには負担は掛からない。
【００３７】
なお、この実施の形態においては、第１の照明制御システムに操作盤７を設け、第２の照明制御システムに中継装置１２を設けたものについて述べたが、第１の照明制御システムに中継装置のみ、あるいは操作盤と中継装置を設けても良く、また、第２の照明制御システムに操作盤のみ、あるいは操作盤と中継装置を設けても良い。また、第２の照明制御システムの中継装置はなくても良い。
【００３８】
また、この実施の形態においては、第２の照明制御システム２として、通信変換装置３に電力線５を接続し、その電力線５と別の電力線１３との間に中継装置１２を配置したものについて述べたが、電力線を使用せずに通信変換装置３と従局１１-1，１１-2，…や中継装置１２との通信を無線で行うものであっても良い。また、中継装置１２と従局１４-1，１４-2，…との通信を無線で行うものであっても良い。
【００３９】
（第２の実施の形態）
この実施の形態はビルなどの配電形態に本発明を適用した場合のシステム構成について述べる。なお、前述した実施の形態と同一の部分には同一の符号を付し、詳細な説明は省略する。
【００４０】
図８に示すように、外部からの電力線６１を基幹ブレーカ６２に接続し、この基幹ブレーカ６２から延出される電力線６３に複数のブレーカ６４-1，６４-2，６４-3，…を接続している。そして、前記各ブレーカ６４-1，６４-2，６４-3，…からそれぞれ分離フィルタ６５-1，６５-2，６５-3，…を介して電力線６６-1，６６-2，６６-3，…を延出させている。分離フィルタ６５-1，６５-2，６５-3，…を使用することで電力線６６-1，６６-2，６６-3，…を通信路として使用した場合に互いに分離できるようになっている。
【００４１】
そして、前記電力線６６-1と電力線６６-2との間に通信変換装置３を接続している。前記電力線６６-1に従局８-1〜８-n及び操作盤７を接続して第１の照明制御システム１を構成し、前記電力線６６-2に従局１１-1，１１-2，…及び中継装置１２を接続し、さらに電力線１３に従局１４-1，１４-2，…を接続して第２の照明制御システム２を構成している。
【００４２】
このようにブレーカ６４-1，６４-2，６４-3，…や分離フィルタ６５-1，６５-2，６５-3，…を設けたビルなどの配電形態においても、第１の照明制御システム１と第２の照明制御システム２との間の制御においては前述した実施の形態と同様の作用効果が得られるものである。
【図面の簡単な説明】
【００４３】
【図１】本発明の、第１の実施の形態を示す全体のシステム構成図。
【図２】同実施の形態における通信変換装置の構成を示すブロック図。
【図３】同実施の形態における中継装置の構成を示すブロック図。
【図４】同実施の形態における照明器具を接続した従局の構成を示すブロック図。
【図５】同実施の形態におけるセンサを接続した従局の構成を示すブロック図。
【図６】同実施の形態における通信変換装置のメイン制御部の処理を示す流れ図。
【図７】同実施の形態における通信変換装置のメイン制御部の処理を示す流れ図。
【図８】本発明の、第２の実施の形態を示す全体のシステム構成図。
【符号の説明】
【００４４】
１…第１の照明制御システム、２…第２の照明制御システム、３…通信変換装置、１８…第１の通信インターフェース部、１９…第２の通信インターフェース部、２２…通信制御部、２３…フォーマット変換部、２４…ポーリング制御部、２５…アドレス変換部、２６…メイン制御部、２７…第１のバッファメモリ、２８…第１のバッファメモリ、２９…アドレステーブル。
【図１】
2005191692.tif 000003
【図２】
2005191692.tif 000004
【図３】
2005191692.tif 000005
【図４】
2005191692.tif 000006
【図５】
2005191692.tif 000007
【図６】
2005191692.tif 000008
【図７】
2005191692.tif 000009
【図８】
2005191692.tif 000010